(57)【要約】【課題】感光ロール記録媒体を用いるデータ記録装置において、正確な定型サイズ幅による記録媒体のカット処理、および斜行発生時のカットミスを防ぐ。【解決手段】データ記録装置のカット機構部は、感光ロールフィルム１６の排出動作時に搬送路となる搬送ガイド２４と、カッタユニット２３から規定距離の位置で感光フィルム１６の先端を検出する感材先端検知センサ２６，２７とで構成される。そして、２つの感材先端検出センサをカッタユニット２３が感光ロールフィルム１６の定型サイズ幅でカットする位置に配置することにより、搬送量にばらつきが生じた場合でも、常に定型サイズ幅で感光ロールフィルム１６をカットが可能となるため、記録データの欠落も防止できる。また、感光ロールフィルム１６の先端両端部を２つの感材先端検出センサで検出するので、斜行発生時のカット動作においても記録データの一部欠落を防止できる。【選択図】      図４
2004256244.tif 000002
【特許請求の範囲】
【請求項１】
感光ロール記録媒体を用いるデータ記録装置であって、排出ローラの下流側に設けられた前記感光ロール記録媒体の搬送ガイドと、前記感光ロール記録媒体の先端部を検知する検知センサと、この検知センサの検知により前記感光ロール記録媒体をカットするカット機構とを備えるデータ記録装置において、
前記検知センサは２つからなり、かつ前記搬送ガイド上の前記感光ロール記録媒体の排出方向に対して直角な１線上に配設されていることを特徴とするデータ記録装置。
【請求項２】
２つの検知センサは、それぞれ搬送ガイド上の感光ロールフィルム幅の両端近傍に対応して設けられていることを特徴とする請求項２に記載のデータ記録装置。
【請求項３】
カット機構は、２つの検知センサが共に感光ロール記録媒体の先端部を検知したときに作動することを特徴とする請求項１または２に記載のデータ記録装置。
【請求項４】
感光ロール記録媒体を用いるデータ記録装置であって、排出ローラの下流側に設けられた前記感光ロール記録媒体の搬送ガイドと、前記感光ロール記録媒体をカットするカット機構と、前記搬送ガイド上に前記感光ロール記録媒体の排出方向に対して平行に設けた２つの溝と、この２つの溝をそれぞれ移動自在でかつ前記感光ロール記録媒体の先端部に係合する２つのピン部材とを備え、前記２つピン部材が所定の位置へ移動したときに前記カット機構が作動するようにしたことを備えることを特徴とするデータ記録装置。
【請求項５】
２つの溝は、感光ロールフィルム幅の両端近傍に対応して設けられていることを特徴とする請求項４に記載のデータ記録装置。
【請求項６】
カット機構は、２つピン部材が共に所定の位置へ移動したときに作動することを特徴とする請求項４または５に記載のデータ記録装置。
【発明の詳細な説明】
【０００１】
【発明の属する技術分野】
本発明はデータ記録装置に関し、特に感光ロール記録媒体を用いたデータ記録装置の規定長カット方式に関する。
【０００２】
【従来の技術】
従来、この種の感光ロール記録媒体（以下、感光ロールフィルムという）を用いたデータ記録装置は、図１に示すように、記録するためのデータを外部から受信するデータ受信部１と、装置全体の動作を制御する制御回路２と、制御回路２から伝送された受信データを記録媒体に記録するデータ記録部３と、装置の動作状況を外部に通知するモニタ４とを含んで構成される。
【０００３】
次に、図２を参照すると、図１に示すデータ記録部３は、受信データの記録媒体である感光ロールフィルム１６と、この感光ロールフィルム１６を装置にセットするためのマガジン２０と、受信データを記録する際に感光ロールフィルム１６が吸入セットされるドラム１５と、感光ロールフィルム１６をドラム１５内に搬送吸入する吸入ローラ１８と、感光ロールフィルム１６がドラム１５内に搬送吸入される際に最初に感光ロールフィルム１６の感材先端を検出する感材始端検出スイッチ１９と、感光ロールフィルム１６を吸入動作した後、受信データの記録開始位置を特定するために感光ロールフィルム１６の先端を検出する感材先端検出センサ２２と、感光ロールフィルム１６上に受信データをレーザ光で記録する光学系５と、受信データ記録後に感光ロールフィルム１６を外部に搬送する排出ローラ２１と、感光ロールフィルム１６をカットするカッタユニット２３と、吸入ローラ１８および排出ローラ２１に回転パルス信号を供給するモータドライバ回路１７とから構成されている。
【０００４】
続いて、図３を参照すると、これは図２に示す光学系５を右側面から見た図であって、レーザ光を発射するＬＤ光源６と、発射されたレーザ光を集光する集光レンズ７と、この集光レンズ７を通過したレーザ光を９０゜偏光する偏光ミラー８と、偏光されたレーザ光をさらに９０゜偏光する偏光ミラー９と、図中の矢印に示す走査方向にレーザ光を照射させるための回転プリズム１０と、この回転プリズム１０を回転させる主走査モータ１１と、ＬＤ光源６のレーザ発射制御および主走査モータ１１の回転制御を行う光学系制御回路１２と、受信データ記録時に光学系５を移動させる副走査モータ１３と、光学系５の移動を支持案内するためのシャフト１４とから構成されている。
【０００５】
また、感光ロールフィルムをカットする機構は、図６に示すように、データ記録部により記録された感光ロールフィルム１６を搬送ガイド２４上に排出する排出ローラ２１と、排出された感光ロールフィルム１６をカットするカッタユニット２３と、搬送ガイド２４の中央近傍に１つ配置された感材先端検出センサ２５とから構成されている。
【０００６】
次に、このように構成されたデータ記録装置の動作について詳細に説明する。
【０００７】
図１〜３および図６を参照すると、まず、外部から送信されたドットパターンのイメージデータを、図１に示すデータ受信部１にて受信する。データ受信部１で受信したイメージデータは、アナログデータからデジタルデータに変換され、制御回路２に転送される。
【０００８】
制御回路２においてイメージデータを蓄積した後、図２に示すように、感光ロールフィルム１６をマガジン２０からドラム１５内に搬送吸入させるため、制御回路２からモータドライバ回路１７に吸入ローラ１８の回転指示信号が転送され、この信号を受けてモータドライバ回路１７から吸入ローラ１８にパルス信号が転送され、本ローラが回転する。吸入ローラ１８の回転により、感光ロールフィルム１６がマガジン２０からドラム１５内部に搬送される。
【０００９】
感光ロールフィルム１６は、吸入ローラ１８を通過し、感材始端検出スイッチ１９でその先端が検出され、更に吸入ローラ１８の回転によりドラム１５上を搬送され、感材先端検出センサ２２でその先端が検出される。
【００１０】
感材先端検出センサ２２で感光ロールフィルム１６の先端を検出後、モータドライバ回路からの指示により吸入ローラ１８の回転が停止し、感光ロールフィルム１６の記録待機位置への搬送動作が完了する。
【００１１】
次に、制御回路２から図３に示す光学系５における光学系制御回路１２に主走査モータ１１の回転指示信号が送信される。制御回路２からの回転指示信号を受けて、光学系制御回路１２は主走査モータ１１に回転パルス信号を送信し、これにより主走査モータ１１が一定速度で回転する。主走査モータ１１が回転することにより、本モータに連結されている回転プリズム１０も同速度で回転する。
【００１２】
次に、光学系制御回路１２からの信号によりＬＤ光源６からレーザ光を発射する。ＬＤ光源６から発射されたレーザ光は拡散光であり、図３に示す集光レンズ７により集光される。集光レンズ７により集光されたレーザ光は、偏光ミラー８により９０°偏光される。偏光ミラー８により９０°偏光されたレーザ光は、偏光ミラー９により更に９０°偏光される。偏光ミラー９により９０°されたレーザ光は回転している回転プリズム１０に照射される。回転している回転プリズム１０に照射されたレーザ光は図２に示す走査方向に走査される。
【００１３】
次に、制御回路２からのパルス信号により、図３に示す副走査モータ１３が回転し、光学系５がシャフト１４に支持された状態で、本図に示す副走査方向に移動する。
【００１４】
光学系５が図３に示す副走査方向に移動することにより、レーザ光が感光ロールフィルム１６上に照射され、本レーザ光により受信したイメージデータを感光ロールフィルム１６上に記録する。感光ロールフィルム１６へのデータ記録完了後、図２に示す吸入ローラ１８と排出ローラ２１の回転指示信号が制御回路２からモータドライバ回路１７に転送される。
【００１５】
モータドライバ回路１７は、制御回路２からの信号を受けて吸入ローラ１８および排出ローラ２１に回転パルス信号を転送する。そして、吸入ローラ１８と排出ローラ２１はこの回転パルス信号を受けて一定速度で回転し、感光ロールフィルム１６が搬送ガイド２４上に排出される。そうすると、感光ロールフィルム１６の先端が感材先端検知センサ２５で検出される。
【００１６】
ここで、感光ロールフィルムを規定長にカットする場合は、感材先端検出センサ２５で検出されると、モータドライバ回路１７からの指示で吸入ローラ１８および排出ローラ２１を所定のパルスに相当する量だけ回転させ、感光ロールフィルム１６を排出方向にさらに搬送する。そして、規定パルス量の搬送動作が完了した時点で、吸入ローラ１８および排出ローラ２１の回転を停止し、カッタユニット２３で感光ロールフィルム１６をカットする。
【００１７】
このように、従来では、感材先端検出センサ２５の位置から排出方向に感光ロールフィルム１６を搬送させる際の移動量を２つの搬送ローラ（吸入ローラ１８および排出ローラ２１）の回転パルス量で決めている。
【００１８】
従って、吸入ローラ１８もしくは排出ローラ２１が摩耗した場合、その排出時の回転パルス量に見合う感光ロールフィルム１６の搬送量にばらつきが生じるため、カッタユニット２３でカットされた感光ロールフィルム１６の幅が定型サイズ幅よりも短くなるという問題がある。
【００１９】
このため、感光ロールフィルム１６のカット幅が定型サイズよりも短くなると、最悪の場合には、記録データ領域でカット動作が行われるため、記録データの一部が欠落するという恐れもある。
【００２０】
さらに、発券プリンタの制御方式として、ロール紙を券片サイズでカットする技術が開示されているが、この方式は、カット機構の先にロール紙先端検出センサを設け、本センサでロール紙の先端を検出後、送りローラにより券片サイズに見合う規定位置までロール紙を吸送した後、カット機構でカットするものである（例えば、特開平０３−１４６３７７号公報を参照。）。
【００２１】
【特許文献１】
特開平０３−１４６３７７号公報
【００２２】
【発明が解決しようとする課題】
しかし、上記の技術には次のような問題点がある。まず、第一の問題点は、ロール紙カット時に、実際の吸送量を装置側で認識できないことである。その理由は、発明の背景で述べた従来技術と同様、吸送ローラの回転量で券片のサイズ幅を決めているためである。
【００２３】
第二の問題点は、吸送ローラの摩耗等により吸送量にばらつきが生じた場合に、印刷対象データが正常に記録されない点である。その理由は第一の問題点と同様、ロール紙の実際の吸送量を認識せずにカット動作を行っているためである。実際の吸送量を認識しないため、吸送ローラの摩耗等により吸送量が足りない場合には券片が短いサイズでカットされ、その結果、印刷対象データが券片上に正常に印刷できないことになる。
【００２４】
第三の問題点は、ロール紙先端検出センサでロール紙の斜行の有無を検出できない点である。その理由は、ロール紙先端検出センサがロール紙先端を特定の１箇所で検出しているためである。
【００２５】
本発明の目的は、かかる問題点に鑑みてなされたもので、感光ロール記録媒体を用いるデータ記録装置において、搬送ローラの摩耗等によって記録媒体の搬送量にばらつきが生じた場合でも、常に定型サイズ幅で記録媒体がカットでき、かつ記録媒体の斜行発生時におけるカットミスの防止が可能な規定長カット方式を提供することにある。
【００２６】
【課題を解決するための手段】
本発明は、感光ロール記録媒体を用いるデータ記録装置であって、排出ローラの下流側に設けられた前記感光ロール記録媒体の搬送ガイドと、前記感光ロール記録媒体の先端部を検知する検知センサと、この検知センサの検知により前記感光ロール記録媒体をカットするカット機構とを備えるデータ記録装置において、前記検知センサは２つからなり、かつ前記搬送ガイド上の前記感光ロール記録媒体の排出方向に対して直角な１線上に配設されていることを特徴とする。
【００２７】
２つの検知センサは、それぞれ搬送ガイド上の感光ロールフィルム幅の両端近傍に対応して設けられていることを特徴とし、カット機構は、２つの検知センサが共に感光ロール記録媒体の先端部を検知したときに作動することを特徴とする。
【００２８】
さらに、本発明は、排出ローラの下流側に設けられた前記感光ロール記録媒体の搬送ガイドと、前記感光ロール記録媒体をカットするカット機構と、前記搬送ガイド上に前記感光ロール記録媒体の排出方向に対して平行に設けた２つの溝と、この２つの溝をそれぞれ移動自在でかつ前記感光ロール記録媒体の先端部に係合する２つのピン部材とを備え、前記２つピン部材が所定の位置へ移動したときに前記カット機構が作動するようにしたことを備えることを特徴とする。
【００２９】
２つの溝は、感光ロールフィルム幅の両端近傍に対応して設けられていることを特徴とし、カット機構は２つピン部材が共に所定の位置へ移動したときに作動することを特徴とする。
【００３０】
【発明の実施の形態】
次に、本発明について図面を参照して詳細に説明する。
【００３１】
本発明を実現する感光ロール記録媒体を用いたデータ記録装置は、そのデータ記録部の構成については、図１から図３を参照して、従来技術の項で説明した内容と同じであり、本項では重複を避けるために構成に関する説明を省略する。
【００３２】
ここで、図４を参照すると、本発明によるデータ記録装置のカット機構部は、感光ロールフィルム１６の排出動作時に搬送路となる搬送ガイド２４と、カッタユニット２３から規定距離の位置で感光フィルム１６の先端を検出する感材先端検知センサ２６，感材先端検知センサ２７とで構成される。
【００３３】
次に、図２および図４を参照して本実施例の動作について説明すると、まず、データ記録部において感光ロールフィルム１６にデータが記録されると、排出ローラ２１の回転によって感光ロールフィルム１６が搬送ガイド２４上に排出される。そして、感光ロールフィルム１６は感材先端検知センサ２６，２７の位置まで搬送される。
【００３４】
感材先端検知センサ２６，２７は、それぞれカッタユニット２３から記録媒体の定型サイズ幅と同じ長さだけ排出方向に進んだ位置で、搬送ガイド２４に対して垂直に配置されている。感材先端検知センサ２６，２７で感光ロールフィルム１６の先端を検出後、モータドライバ回路１７からの指示により吸入ローラ１８と排出ローラ２１の回転が停止し、感光ロールフィルム１６の搬送動作は停止する。
【００３５】
そして、感光ロールフィルム１６の搬送動作の停止後、カッタユニット２３が図４に示す方向に移動し、感光ロールフィルム１６をカットする。
【００３６】
このとき、カットされた感光フィルム１６の幅は、カッタユニット２３から感材先端検知センサ２６，２７の位置までの長さと同一である。すなわち、感光フィルム１６は定型サイズ幅でカットされる。
【００３７】
このように本発明では、カッタユニット２３と感材先端検知センサ２６，２７間の距離を、定型サイズ幅の長さと同一にし、感材先端検知センサ２６，２７で感光ロールフィルム１６の先端を検出した時点で搬送動作を停止させ、記録媒体をカットする。これにより、吸入ローラ１８または排出ローラ２１の摩耗等により吸入、排出動作時に搬送量ばらつきが生じた場合でも、常に規定のサイズ幅で感光ロールフィルム１６をカットすることができる。
【００３８】
また、本発明は、感材先端検出センサを搬送ガイド２４に対して垂直に２つ配置することにより、感光ロールフィルム１６が斜行した場合に、誤ってデータ記録範囲でカットされる恐れもなくなる。
【００３９】
さらに、吸入ローラ１８および排出ローラ２１による搬送量が正常な場合、感材先端検知センサ２６，２７は、排出動作においてほぼ同時に感光ロールフィルム１６の先端部を検出するが、感光ロールフィルム１６が斜行している場合には、感材先端検出センサ２６，２７の検出タイミングにずれが生じてくる。
【００４０】
このような場合、感材先端検知センサ２６，２７のいずれかが先に先端部を検出した時点でカット動作を行うと、斜行により搬送量が少なかった感光ロールフィルム１６の端ではデータ記録領域がカッタユニット２３の真下で停止するケースが予測される。そうすると、仮にこのままカッタユニット２３で感光ロールフィルム１６をカットした場合は、記録データの一部が欠落してしまう。
【００４１】
本発明では、この欠点を解消するために感材先端検知センサ２６，２７が共に感光ロールフィルム１６の先端を検出した時点でカット動作を行う。これにより、データ記録部の欠落を防ぐことができる。
【００４２】
続いて、本発明の他の実施の形態について説明する。
【００４３】
図５は、本発明の他の実施例の形態を説明する図である。図５を参照すると、本実施例は、図４に示す感材先端検知センサ２６，２７に代えて搬送ガイド２４上に感光ロールフィルム１６の排出方向と平行な方向に２つのスライド溝３０，スライド溝３１を設け、その溝内を移動することができるスライドピン２８，スライドピン２９を配置したものである。
【００４４】
本実施例では、排出動作時に感光フィルム１６の先端がカッタユニット２３の位置に到達した時点で、その先端部がスライドピン２８，２９にそれぞれ当接する。そして、さらに排出動作が進むと、スライドピン２９，３０は感光ロールフィルム１６の先端部から押されて移動し、やがて、図５に示す規定の長さの位置へ到達する。
【００４５】
この長さは記録媒体の定型サイズ幅と同一の長さである。そして、スライドピン２８，２９が規定の長さの位置に到達した時点で、スライドピン２８，２９の位置を検出手段（図示せず）が検出し、感光ロールフィルム１６の排出動作を停止し、カッタユニット２３にてカット動作を行う。これにより、実施例の動作と同様に、定型サイズ幅でのカット動作を可能とする。
【００４６】
なお、本実施例においても、スライドピン２８，２９が共に規定の位置に到達した時点で感光ロールフィルム１６のカット動作を行うことにより、前述の実施例と同様にデータ記録部の欠落を防ぐことができる。
【００４７】
【発明の効果】
以上説明したように本発明によれば、カッタユニットの位置から感材先端検出センサまでの距離を記録媒体の定型サイズ幅と同じにし、感材先端検出センサで記録媒体の先端を検出した時点で搬送動作を停止してカットすることにより、搬送（排出）ローラの摩耗等によって記録媒体の搬送量に誤差が生じた場合でも、カット長のばらつきがなく、常に定型サイズ幅で記録媒体をカットできるという効果がある。
【００４８】
また、記録媒体の先端の両端近傍を２つの感材先端検知センサで検知し、この検出センサの先端検出タイミングから斜行の発生有無を認識するため、誤って記録データ領域でカット動作を行い、データの一部が欠落してしまうこともなく、カットミスを防止できるという効果がある。
【００４９】
さらに、感材先端検出センサに代えて、スライドピンを備えた感材先端検出手段を用いても同様の効果が得られる。
【図面の簡単な説明】
【図１】データ記録装置の構成を示すブロック図である。
【図２】図１のデータ記録部の詳細を説明する図である。
【図３】図２を右側面から見た図である。
【図４】本発明の一実施の形態を説明する図である。
【図５】本発明の他の実施例の形態を説明する図である。
【図６】従来例を説明する図である。
【符号の説明】
１    データ受信部
２    制御回路
３    データ記録部
４    モニタ
５    光学系
６    ＬＤ光源
７    集光レンズ
８    偏光ミラー
９    偏光ミラー
１０    回転プリズム
１１    主走査モータ
１２    光学系制御回路
１３    副走査モータ
１４    シャフト
１５    ドラム
１６    感光ロールフィルム
１７    モータドライバ回路
１８    吸入ローラ
１９    感材始端検出スイッチ
２０    マガジン
２１    排出ローラ
２２    感材先端検出センサ
２３    カッタユニット
２４    搬送ガイド
２５    感材先端検知センサ
２６    感材先端検知センサ
２７    感材先端検知センサ
２８    スライドピン
２９    スライドピン
３０    スライド溝
３１    スライド溝
【図１】
2004256244.tif 000003
【図２】
2004256244.tif 000004
【図３】
2004256244.tif 000005
【図４】
2004256244.tif 000006
【図５】
2004256244.tif 000007
【図６】
2004256244.tif 000008